(57)【要約】本発明は、心臓、大動脈、又は動脈のインプラントの配置の為の組立体であって、イントロデューサー（１）の又は弁送達カテーテル（１’）の挿入シース（１３）を備えており、該シースは、イントロデューサーのサイズよりも小さく、人体の動脈内に導入されることを意図されている。本発明は、本質的に、末梢静脈又は動脈付属カテーテルの挿入シース、又は付属カテーテルの周りのスリーブに組み込まれる外部心臓刺激装置の電極の金属支持体からなり、これは、患者の末梢静脈又は動脈内に導入される。それ故に、本発明に従う付属カテーテル又はスリーブのシースは、患者の末梢静脈又は動脈と直接接触している。【選択図】図５
2021519198.tif 000002
【特許請求の範囲】
【請求項１】
心臓、大動脈、又は動脈のインプラントの配置の為の組立体であって、
人体（Ｃ）の動脈内に導入されること、及び任意的に手術介入デバイスの通過を可能にすることを意図されている、少なくとも１つの管状挿入シース（１３）を備えているイントロデューサー（１）又は弁送達カテーテル（１’）を形成するデバイス、
該人体の末梢静脈又は動脈内に導入されることを意図されているアクセサリカテーテル（１’’）、
該アクセサリカテーテルの周囲に係合されるように適合されているスリーブ（６）、ここで、該スリーブが該スリーブの外側周縁部の少なくとも一部にわたって電気伝導材料から作られていることにより、該アクセサリカテーテルが該人体の該末梢静脈又は動脈内に導入される場合に、該スリーブの該伝導性周縁部が該人体の皮下組織と、又は、該動脈の若しくは該静脈の壁と接触し、該スリーブが、該人体の外部における心臓刺激装置の電極への電気接続体（７、８）を更に備えている、及び、
該インプラントを進行させる為に該イントロデューサーの又は該送達カテーテルの管状シース（１３）内に導入されることを意図されているガイドワイヤ（２０）、ここで、該ガイドワイヤ（２０）が、該外部心臓刺激装置の他方の電極への接続体として更に機能する金属部を含む、
を備えている、前記組立体。
【請求項２】
該アクセサリカテーテルの挿入シース（１４’’）の周囲に係合された電気伝導性スリーブ（６）に接続された該心臓刺激装置の該電極がアノードであり、イントロデューサー（１）又は該送達カテーテル内に導入されるガイドワイヤ（２０）の該金属部に接続された該心臓刺激装置の該電極がカソードである、
請求項１に記載の組立体。
【請求項３】
該電気伝導性スリーブが、伝導材料、例えば炭素、から作られた一片として形成されている、
請求項１又は２に記載の組立体。
【請求項４】
該スリーブが、電気伝導コーティング（４）、例えば炭素のコーティング、を外側周縁部に備えているシースにより形成されている、
請求項３に記載の組立体。
【請求項５】
該スリーブが、異なる直径、典型的には０．２ｍｍ〜２．２ｍｍの外径の末梢静脈又は動脈カテーテルシースに係合することができるように弾性である、
請求項３又は４に記載の組立体。
【請求項６】
心臓、大動脈、又は動脈のインプラントの配置の為の組立体であって、
人体（Ｃ）の動脈内に導入されること、及び任意的に手術介入デバイスの通過を可能にすることを意図されている、少なくとも１つの管状挿入シース（１３）を備えているイントロデューサー（１）又は弁送達カテーテル（１’）を形成するデバイス、
該人体の末梢静脈又は動脈内に導入されることを意図されているアクセサリカテーテル（１’’）、ここで、該アクセサリカテーテルが、少なくとも１つの管状挿入シース（１３）と少なくとも１つの電気伝導要素とを備え、その遠位部が、該人体の皮下組織と、又は、該末梢静脈若しくは動脈とに接触するようにして、該シースの外側周縁部の少なくとも一部の上に露出され、該人体（Ｃ）の外部からアクセス可能な、その近位部が、該人体の外部における心臓刺激装置の電極への接続体として機能するように電気接続体を備えている、及び、
該インプラントを進行させる為に該イントロデューサーの又は該送達カテーテルの管状シース（１３）内に導入されることを意図されているガイドワイヤ（２０）、ここで、該ガイドワイヤ（２０）が、該外部心臓刺激装置の他方の電極への接続体として更に機能する金属部を含む、
を備えている、前記組立体。
【請求項７】
該アクセサリカテーテルに接続された該心臓刺激装置の該電極がアノードであり、イントロデューサー（１）又は該送達カテーテル内に挿入されたガイドワイヤ（２０）の該金属部に接続された該心臓刺激装置の該電極がカソードである、
請求項６に記載の組立体。
【請求項８】
該アクセサリカテーテルの該電気伝導要素が、該シースの厚さ内に少なくとも部分的に収容されたワイヤ又は金属バンド（４）であり、その該遠位部が、該シースの該外側周縁部において露出されている、
請求項６又は７に記載の組立体。
【請求項９】
該ワイヤの、又は該金属バンドの断面が０．２５ｍｍ２〜５ｍｍ２である、
請求項８に記載の組立体。
【請求項１０】
経皮的ルートによる心臓弁の置換の為の組立体を構成し、該ガイドワイヤが、該心臓弁を置換することを意図されている人工弁の進行に適合されている、
請求項１〜９のいずれか１項に記載の組立体。
【請求項１１】
大動脈内部人工装具又は頸動脈ステントの配置の為の組立体を構成し、該ガイドワイヤが、該内部人工装具若しくはステントの進行に適合されており、又は、該ガイドワイヤが、該人工装具若しくは該バルーンを送達するが患者の心臓に接触する別のガイドワイヤに結合されたガイドワイヤから独立している、
請求項１〜１０のいずれか１項に記載の組立体。
【発明の詳細な説明】
【技術分野】
【０００１】
本発明は、心臓、大動脈、又は動脈のインプラントの配置の為の組立体に関する。
【０００２】
「心臓又は大動脈のインプラント」は、本明細書において且つ本発明の文脈において、天然弁（native  valve）の置換を意図される人工の心臓弁又は大動脈弁として理解される。
【０００３】
好ましい使用は、弁送達カテーテルと、任意的に、通常「イントロデューサー」（introducer）と呼ばれる挿入デバイスをと含む経皮的ルートによる心臓弁の該置換である。
【０００４】
経皮的ルートによる心臓弁の置換の為の施術は、通常、略語ＴＡＶＩ（経カテーテル大動脈弁留置術：transcatheter  aortic  valve  implantation）により知られている。
【０００５】
大動脈弁の該置換に関連して説明されているが、本発明に従う該組立体は、該心臓の別の弁、例えば三尖弁又は僧帽弁、の該置換の為に等しく使用されることができる。
【０００６】
「動脈インプラント」は、本明細書において且つ本発明の文脈において、損傷した動脈を修復（膨張、再開）する為にヒトの動脈内に埋め込まれることが意図された支持体（バルーン、ステント）であることができる人工装具デバイスとして理解される。
【０００７】
本発明は、末梢動脈、例えば頸動脈、大動脈、における全ての種類の末梢脈管介入、特に、胸部大動脈内部人工装具の配置（胸部脈管内大動脈修復（thoracic  endovascular  aortic  repair）、すなわちＴＥＶＡＲ）の為の、及びこれらの動脈の狭窄を患った人における頸動脈ステントの配置（頸動脈ステント留置術（carotid  artery  stenting）、すなわちＣＡＳ）の為の施術に適用する。これらは、小児科において実施される、特に先天性心疾患の場合に実施される、心臓又は末梢の介入であることができる。
【０００８】
本発明はより特には、様々な既知のデバイス、例えばステント、バルーン又は他の人工装具、の該配置の精度を安定化し、確保し、及び最適化する為に、心臓刺激装置による心臓停止による該配置における改善された補助に関する。
【０００９】
一般的に、本発明に従う該組立体の該イントロデューサー及び／又は該送達カテーテルは、経皮的ルートにより、より正確には経大腿、経大動脈、頸動脈、若しくは鎖骨下ルートにより、又は該末梢動脈、例えば橈骨動脈若しくは肘の動脈、内において、患者に埋め込まれることができる。
【背景技術】
【００１０】
該心臓の一般的に知られている疾患は、該心臓大動脈弁の石灰化狭窄に関連付けられたものであり、該心臓大動脈弁は、該心臓の空洞、すなわち左心室、を該大動脈から隔てる弁であり、該心臓大動脈弁は、開位置において、血液が該心臓からヒトの体の残りの部分まで流れることを可能にする。
【００１１】
深刻な又は非常に深刻な狭窄は、該大動脈弁が正常に開くことを妨げ、従って、石灰化大動脈弁狭窄とも呼ばれる該疾患を引き起こす。
【００１２】
この疾患の処置は、欠陥のある大動脈弁を置換することを伴う。
【００１３】
欠陥のある大動脈弁の置換は、最も一般的には胸を切開すること、該患者を体外循環下に置くこと、該心臓を一時的に停止すること、そして次に、該天然弁を除去して人工弁又は人工装具弁により該天然弁を置換することを目的として該心臓を切開することにより実施される。
【００１４】
該施術のこれらの継続的な工程は、該患者の相対的に長い期間の入院を伴うこと、複雑且つ高コストであること、及び、特に、該心臓が停止される必要があること、及び、体外循環が提供される必要があることを理由として、該患者の全体的な状態を考慮するといわゆる「心臓切開」手術が過度に危険である故に、医師及び／又は執刀医が多くの場合、いわゆる「該心臓切開」手術が実施されることができないと考えるので、罹患した該患者のうちの一部のみに制限されることといった主な欠点を有する。
【００１５】
この欠点を解決する為に、低侵襲性の手法を使用して心臓弁を置換することが提案されているが、依然として体外循環を必要とする。本明細書において、既知の低侵襲性技術と、更にこれらの技術を実施する為の器具とを示す国際公開第９３／０１７６８号パンフレット、及び国際公開第９７／２８８０７号パンフレット、並びに米国特許第５８１４０９７号明細書、米国特許第５３７０６８５号明細書又は米国特許第５５４５２１４号明細書について言及されうる。
【００１６】
しかしながら、該既存の技術は完全に満足のいくものでなく、及びそれらは改善されうると感じられる。
【００１７】
特に、これらの技術は、以下の主な欠点を有する。すなわち、
それらは常に、該患者が体外循環下に置かれることを必要とする。それらは、実際に実施することが困難である。
それらは、該人工装具弁の後の校正を視野に入れた、該天然弁が切られる直径の精密な制御を可能にしない。
それらは、該人体内の多くの場合に石灰化した天然弁の断片の拡散のリスクを伴い、それが塞栓症をもたらしうる。
それらは、該大動脈又は該心臓の壁を穿孔するリスクを伴う。
それらは、該天然弁のアブレーション中における血液の急な逆流のリスクを伴う。
【００１８】
これらの技術の該欠点を克服する為に、１つのアプローチは、血管、例えば該大動脈、の内部におけるカテーテルの導入を伴う脈管内処置の技術から発想を受けた、経皮的な弁と呼ばれる人工大動脈弁の配置である。
【００１９】
従って、石灰化による欠陥のある天然の大動脈弁は、上述のように通常必要とされる厄介な心臓手術を必要なしに、人工弁により置換される。
【００２０】
人工弁は、現在、異なる経皮的ルート、すなわち経大腿ルート、すなわち大腿動脈から該心臓までの導入、又は経心尖ルート、又は経大動脈ルート、又は頸動脈ルート、又は鎖骨下ルート、すなわち、胸部の開口を通した心臓切開手術を必要とせず且つ体外循環を必要としない任意のルート、により配置されることができる。
【００２１】
該施術それ自体は、該石灰化した（罹患した）天然の大動脈弁の領域に、正常な天然の大動脈弁のおおまかな形状を再現した人工弁（該人工装具）を配置することを伴い、該石灰化した（罹患した）天然の大動脈弁は、その場に残されて、該人工装具により押しつぶされる。
【００２２】
これを行う為に、豚又は牛由来の心膜、すなわち該心臓を囲む微細な膜から作られた該人工弁が、冠動脈ステントの為の形状記憶材料、例えばニッケル・チタン合金又はコバルト・クロム合金、又は、ステンレス鋼３１６Ｌ、から作られたワイヤの配置体から構成された、ステントと呼ばれる管状であり半径方向に拡張可能な金属メッシュの内部にあらかじめ固定される。
【００２３】
次に、弁及びメッシュから構成された該組立体は、止血を維持しながら動脈内に直接導入されるか、又は、該動脈へのアクセスを可能にするイントロデューサーの内部に導入されることができる送達カテーテルと呼ばれる管状シースの端部において圧縮される。
【００２４】
次に、インターベンション医は、上記組立体が該罹患した大動脈弁に到達するまで、弁及びメッシュから構成された該組立体を、該イントロデューサー内に、又は、該送達カテーテル内に直接スライドさせる。適所に配置される前に、弁及びメッシュから構成された該組立体が、次に、バルーンの膨張により該罹患した弁の該領域に配置される。
【００２５】
バルーンを含まない弁及びメッシュから構成された組立体を備えている弁送達カテーテルも存在し、このカテーテルでは、該弁が自己拡張式であり、該弁を囲む該シースの単なる退避により、それ故に、あらかじめバルーンを膨張させることを必要とせずに、半径方向に拡張する弁の配置を可能にする。
【００２６】
更なる詳細については、米国特許第７０１８４０６号明細書、米国特許第７８９２２８１号明細書、米国特許第８６５２２０２号明細書、及び米国特許第８７４７４５９号明細書が参照されうる。
【００２７】
適切な該配置中に、該弁を通る、すなわち小弁間の流量を最小化する為に、及び、生じ得る塞栓形成を回避する為に、又は、少なくとも減らす為に、急速な心室刺激により短い期間にわたって一時的に該心臓を停止させることが必要とされる。
【００２８】
従って、「心臓停止」とも一般的に呼ばれる該心臓のこの一時的な停止は、もはや有効な収縮が一切なくなるように１５０拍／分〜２００拍／分の心拍にすることを伴い、このことが、圧力の低下をもたらし、心室頻拍又は細動をシミュレーションし、該心臓の安定化につながる。
【００２９】
該心臓のこの安定化は、該バルーンの安定化を可能にし、結果として、数秒間にわたって該人工弁の配置の精度を高める。
【００３０】
右心室の一時的な心臓内刺激の為の電気収縮刺激プローブと呼ばれる２つの電極を含む双極刺激カテーテルが存在する。
【００３１】
これらの電気収縮刺激プローブは、以下に提示される多くの欠点を有する。
【００３２】
まず、このようなプローブは、対象となる患者集団において脈管合併症のより高いリスクを伴う中心静脈アクセスを構成する。現在、ＴＡＶＩ（経カテーテル大動脈弁留置術）という英語の頭字語により表される、大動脈弁置換術をリスト化したフランスのレジストリー「Ｆｒａｎｃｅ  ２」は、大幅な脈管合併症のリスクの割合が４．７％に等しいことを示している。この結果は刊行物［１］の１７０９ページにおいて報告されている。
【００３３】
第２に、このプローブは比較的固い。従って、壊れやすく、その壁が該左心室の壁より細かい該右心室におけるこのプローブの配置は、該患者の死をもたらすことさえありうる大幅な循環不全の発現である、「タンポナーデ」という語のもとでインターベンション医によく知られた現象の非常に高いリスクを伴う。
【００３４】
該患者のベッドにおける該患者の可動化を理由とし、それ故に、依然として存在し、結果として該右心室の該壁に孔を開けうる該プローブを理由として、このリスクは介入中に、すなわち、該電気収縮プローブの該配置中と、術後期間との両方に存在することにも留意しなければならない。
【００３５】
更に、該弁の配置の重要な瞬間に該電気収縮刺激プローブが動くリスクが存在する。これは、刺激プローブが該心臓の壁に固定されず、それ故に動きうるとともに、結果として電気刺激信号の捕捉の失敗をもたらすからである。
【００３６】
従って、該心臓は、もはや刺激されず、それ故に、該弁の、又は該バルーンの該配置を妨げる大幅な動きを行う。
【００３７】
このようなプローブの使用に関連付けられた別のリスクは、穿刺サイトにおける感染症のリスクである。該レジストリーＦｒａｎｃｅ  ２は、１％未満の割合を示しており、刊行物［１］を参照されたい。
【００３８】
最後に、インターベンション医は、実施することが常に簡単であるわけではない施術である一時的な刺激プローブの該配置に関連付けられた追加的な施術時間を、無視できる程度であるとはみなさない。
【００３９】
刊行物［２］は、この心室刺激を該左心室に実施し、該右心室に実施しないことの利点、及び、特定の経静脈刺激カテーテルによるのではなく、このタイプの介入の為に使用されるガイドワイヤを含む外部心臓刺激装置を使用することにより、そのようにすることの利点を提示している。
【００４０】
従って、刊行物［２］において説明されている推奨される技術は、ステント膨張バルーンを支持し、且つ心臓刺激装置のカソードに接続された部分として該左心室内に導入される該ガイドワイヤと、該心臓刺激装置のアノードに対する支持体として皮下組織に挿入された皮膚電極又は針とを使用することを伴う。
【００４１】
刊行物［３］及び［４］は、豚集団における冠動脈形成介入の場合において、該ステント膨張バルーンを支持する該ガイドワイヤが心臓刺激装置の該カソードに接続された部分として使用され、且つ該皮下組織に挿入された皮膚電極又は針が該心臓刺激装置の該アノードに対する支持体として使用される、より低い刺激電圧を使用した一時的な心臓刺激の有効性を検証している。
【００４２】
従って、これらの推奨される技術は、追加的な専用カテーテルを埋め込む必要性を無くすこと、該心臓への追加的なアクセスを無くすこと、該施術の時間及びコストを削減すること、及び、更には、該専用カテーテルの該埋め込みに関連付けられた合併症発生率を下げることを該利点としてもち、この全てが、経静脈刺激により達成されるものに等しい刺激を可能にしながらなされる。
【００４３】
更に、上述のようにタンポナーデの該リスクを伴う該右心室に対する該電気収縮刺激プローブに比べると、該ガイドワイヤが該弁を通して該ステント／バルーン／弁組立体を前進させる為のレールとして機能するので、この技術の為に使用される該ガイドワイヤは非常に安定しており、該左心室の比較的厚い壁に対して永久的に耐える。
【００４４】
これが当てはまるが、それでもこの技術は、正確である必要がある追加的な電極又は皮下針の該配置、及び、互いに離隔した２つの支持体におけるワニ口クリップの該配置及び保持を必要とする。
【００４５】
本発明の発明者は、患者の該動脈内における挿入シース（イントロデューサー又は送達カテーテル）内における直接的な心臓刺激装置電極の統合を説明し、特許請求している国際公開第２０１６／１６２３１５（Ａ１）号パンフレットを出願した。提案される発明は、該心臓刺激装置電極の該配置及び操作を、該施術を担当する１人以上の執刀医にとってより迅速且つより簡単なものとする。
【００４６】
上記の出願の該欠点は、それが、特定のイントロデューサー又は送達カテーテルの製造を必要とすることである。
【００４７】
ここで、既存のイントロデューサー又はカテーテルを保つこと、すなわち、中に統合された電極を含まない該イントロデューサー又は該カテーテルを保つことを可能にする１以上の解決策を有することが有用である。
【００４８】
より概括的には、それは、見出された１以上の解決策が心臓弁又は大動脈弁の置換の為の施術だけでなく、末梢脈管介入中に埋め込みを伴う全ての施術に適用されるのであれば有用である。
【発明の概要】
【発明が解決しようとする課題】
【００４９】
本発明の目的は、１以上の上記ニーズに少なくとも部分的に応える。
【課題を解決するための手段】
【００５０】
これを行う為に、本発明は、第１の選択肢に従うと、経皮的ルートによる心臓弁の置換の為の組立体であって、
人体の動脈内に導入されること、及び任意的に手術介入デバイスの通過を可能にすることを意図されている、少なくとも１つの管状挿入シースを備えているイントロデューサー又は弁送達カテーテルを形成するデバイス、
該人体の末梢静脈又は動脈内に導入されることを意図されているアクセサリカテーテル、
該アクセサリカテーテルの周囲に係合されるように適合されているスリーブ、ここで、該スリーブが該スリーブの外側周縁部の少なくとも一部にわたって電気伝導材料から作られていることにより、該アクセサリカテーテルが該人体の該動脈又は該末梢静脈内に導入される場合に、該スリーブの該伝導性周縁部が該人体の該皮下組織と、又は、該動脈の若しくは該静脈の壁と接触し、該スリーブが、該人体の外部における心臓刺激装置の電極への電気接続体を更に備えている、及び、
該インプラントを進行させる為に該イントロデューサーの又は該送達カテーテルの管状シース内に導入されることを意図されているガイドワイヤ、ここで、該ガイドワイヤが、該外部心臓刺激装置の他方の電極への接続体として更に機能する金属部を含む、
を備えている、上記組立体に関する。
【００５１】
代替的な実施態様に従うと、該アクセサリカテーテルの該挿入シースの周囲に係合された該電気伝導性スリーブに接続された該心臓刺激装置の該電極がアノードであり、該イントロデューサー又は該送達カテーテル内に導入される該ガイドワイヤの該金属部に接続された該心臓刺激装置の該電極がカソードである。
【００５２】
有利には、該電気伝導性スリーブが、伝導材料、例えば炭素、から作られた一片として形成される。
【００５３】
従って、該スリーブが、電気伝導コーティング、例えば炭素のコーティング、を外側周縁部に備えているシースにより形成されることができる。
【００５４】
有利な実施態様に従うと、該スリーブが、異なる直径、典型的には０．２ｍｍ〜２．２ｍｍの外径の末梢静脈又は動脈カテーテルシースに係合することができるように弾性である。
【００５５】
本発明は、第２の選択肢に従うと、心臓、大動脈、又は動脈のインプラントの配置の為の組立体であって、
人体の動脈内に導入されること、及び任意的に手術介入デバイスの通過を可能にすることを意図されている、少なくとも１つの管状挿入シースを備えているイントロデューサー又は弁送達カテーテルを形成するデバイス、
該人体の末梢静脈又は動脈内に導入されることを意図されているアクセサリカテーテル、ここで、該アクセサリカテーテルが、少なくとも１つの管状挿入シースと少なくとも１つの電気伝導要素とを備え、その遠位部が、該人体の皮下組織と、又は、該末梢静脈若しくは該動脈とに接触するようにして、該シースの該外側周縁部の少なくとも一部の上に露出され、該人体の外部からアクセス可能な、その近位部が、該人体の外部における心臓刺激装置の電極への接続体として機能するように電気接続体を備えている、及び、
該インプラントを進行させる為に該イントロデューサーの又は該送達カテーテルの該管状シース内に導入されることを意図されているガイドワイヤ、ここで、該ガイドワイヤが、該外部心臓刺激装置の他方の電極への接続体として更に機能する金属部を含む、
を備えている、上記組立体に関する。
【００５６】
本明細書において、補助カテーテルと呼ばれることができる「アクセサリカテーテル」が、アクセサリルート又は二次ルート若しくは補助ルートとも呼ばれる、末梢静脈又は動脈内に導入されるカテーテルであることに留意されたい。
【００５７】
一つの実施態様に従うと、該アクセサリカテーテルに接続された該心臓刺激装置の該電極がアノードであり、該イントロデューサー又は該送達カテーテル内に挿入された該ガイドワイヤの該金属部に接続された該心臓刺激装置の該電極がカソードである。
【００５８】
好ましくは、該アクセサリカテーテルの該電気伝導要素が、該シースの厚さ内に少なくとも部分的に収容されたワイヤ又は金属バンドであり、その遠位部が、該シースの該外側周縁部において露出されている。
【００５９】
該ワイヤの、又は該金属バンドの断面が、有利には０．２５ｍｍ２〜５ｍｍ２であることができる。
【００６０】
本発明に従う該組立体は、経皮的ルートによる心臓弁の置換の為の組立体を構成することができ、該ガイドワイヤが、該心臓弁を置換することを意図されている人工弁の進行に適合されている。
【００６１】
本発明に従う該組立体は、大動脈内部人工装具又は頸動脈ステントの配置の為の組立体を更に構成することができ、該ガイドワイヤが、該内部人工装具若しくはステントの進行に適合されており、又は、該ガイドワイヤが、該人工装具若しくは該バルーンを送達するが患者の心臓に接触する別のガイドワイヤに結合されたガイドワイヤから独立している。
【００６２】
該末梢静脈カテーテルのシースの該周縁部で電気伝導要素を統合する本発明に従う末梢静脈カテーテルのおかげで、該電極、典型的には心臓刺激装置の該アノード、に対する支持体として機能する為に、皮下組織における針及び皮膚電極を配置することはもはや必要でない。
【００６３】
一時的プローブと一般的に呼ばれる従来技術の場合のように電気収縮プローブを使用し且つ適所に配置することがまたもはや必要とされない。
【００６４】
その上、本発明のおかげで、該心臓停止に必要な刺激強度は、該皮下組織と比べて、脈管系のより低いインピーダンスを理由として、従来技術に従う解決策よりも低い。典型的には、心臓停止を目的として送達される電流の強度は１〜２０ｍＡであることができ、及び送達される電圧は０．５〜１５ボルトであることができる。
【００６５】
従って、該施術を担当する１人以上の執刀医は、該電極、典型的には該心臓刺激装置の該アノード、を、該アクセサリカテーテルに又は該アクセサリカテーテルの周囲に係合された伝導スリーブに、簡単に接続することができ、次に、通常は他方の電極を、典型的には該カソードを、該弁／ステント／バルーン組立体の又は弁と自己拡張ステントとから構成された該組立体の該ガイドワイヤに接続することができる。
【００６６】
従って、該心臓の停止に備える為の工程は、実行することがより簡単であり且つより迅速である。
【００６７】
その上、本発明者は、本発明に従うアクセサリカテーテルが、該右心室に配置される従来技術に従う該電気収縮刺激プローブに関連付けられた合併症のリスクを減らすることができると考えている。
【００６８】
該イントロデューサー又は該送達カテーテルは、経心尖ルートにより又は経大腿ルートにより、通常通り導入されることができ、後者のルートは衰弱した患者に対して侵襲性が低いので、該後者のルートが好ましい。
【００６９】
該イントロデューサー又は該送達カテーテルは、フラッシュと通常呼ばれる末梢灌流システムを組み込むことができ、それは、該イントロデューサーの又は該カテーテルの内部からありうる血栓を取り除く為に適所に配置されうる。
【００７０】
該人工弁は、それ自体が該イントロデューサー内に導入される慣用的な弁カテーテルにより該動脈内に導入され且つ配置されることができる。次に、該人工弁が屈曲位置を占有し、該イントロデューサー内における、そして次に該動脈内における、又は、該送達カテーテル内における、そして次に該動脈内における、該弁カテーテルの該導入及びスライドに対する障害を形成しない。
【００７１】
次に、該配備された位置において、該人工弁が天然の心臓弁の代わりに該天然の心臓弁の外壁に接触し、該天然の心臓弁を押しつぶす。
【００７２】
従って、慣用的な弁カテーテルは、該天然弁を開く為に、及び押しつぶす為に実行される施術操作と同じ施術操作により、好適な位置に該人工弁を導入し及び配置することを可能にする。該天然弁を開くこと及び押しつぶすことの後に、該弁カテーテルが、該天然弁の開口における好適な位置に該人工弁を運ぶ為に遠位方向に向けて軸方向にスライドされる。
【００７３】
該天然弁を開き及び押しつぶしている間に、及び、該天然弁を開き及び押しつぶした後に、該患者に施術している該１人以上の執刀医が、該外部心臓刺激装置により心臓刺激を適用し、ここで、電流が、該刺激装置の該カソードと該アノードとの間を循環し、該カソードが、該人工弁の該ガイドワイヤに接続され、及び該アノードが、該患者の該皮下組織と又は末梢静脈の内壁とに接触する、本発明に従う該末梢静脈カテーテルの該伝導要素に接続される。
【００７４】
該心室刺激と同時に、該人工弁が配備される。次に、該弁カテーテルが引き抜かれる。
【００７５】
同じ工程が、全ての種類の末梢脈管介入に対して実施されることができる。
【００７６】
従って、本発明はまた、心臓、大動脈、又は動脈のインプラントの配置の為の方法であって、
ａ／経皮的ルートによる若しくは人体の末梢動脈内への、イントロデューサーの及び／又は送達カテーテルの導入、
ｂ／心臓、大動脈、又は動脈のインプラントを進行させる為の、該イントロデューサーの又は該送達カテーテルの、該管状シース内へのガイドワイヤの導入、
ｃ／該人体の末梢静脈又は動脈内へのアクセサリカテーテルの導入、ここで、該アクセサリカテーテルが、少なくとも１つの管状挿入シースと少なくとも１つの電気伝導要素とを備え、その遠位部が、該シースの該外側周縁部の少なくとも一部の上に露出され、又は、該アクセサリカテーテルが、スリーブの周縁部の少なくとも一部に電気伝導材料から作られた該スリーブを備えている、
ｄ／外部心臓刺激装置の２つの電極のうちの１つと、該アクセサリカテーテル、又は、該アクセサリカテーテルの周囲に係合された該スリーブとの間の接続、及び、該心臓刺激装置の該２つの電極のうちの他方と該ガイドワイヤとの間の接続、
ｅ／該インプラントの配置、
ｇ／該工程の前、該工程の間、又は該工程の後における該外部心臓刺激装置による心臓停止、
の工程を含む、上記方法に関する。
【００７７】
一般的に、本発明は、該心臓を閉じることにより該心臓を一時的に安定化する為に、又は、徐脈の場合、若しくは、梗塞、若しくは、冠動脈、心臓弁、若しくは末梢動脈介入中に心拍を停止又は減速する他の電気伝導妨害の場合に該心臓を駆動する為に、該心臓内に配置された金属ガイドにより、該心臓まで該電流を伝達すること、及び、従って、可変周波数、典型的には４０〜２２０拍／分の可変周波数、で該心臓を刺激することを可能にする皮膚又は皮下又は脈管内末梢のアノードの使用に関する。
【００７８】
脈管内アノードは、該動脈又は静脈の循環システムにおける任意の場所に配置されることができる。
【００７９】
該心臓停止を実現する為に適用される該電圧は好ましくは、０．５〜１５Ｖである。適用される該電流は有利には、１〜２０ｍＡである。
【００８０】
特性インピーダンスは好ましくは、３００〜７００オームである。
【００８１】
経皮的な弁又は大動脈内部人工装具（ＴＥＶＡＲ）の配置、又は、大動脈狭窄部（大動脈の縮窄部）のバルーン脈管形成の為の施術の為に、本発明に従う該心臓停止により取得される心拍数は有利には、１４０〜２２０拍／分である。
【００８２】
冠動脈用途に対して、脈管形成ツール、例えばＲｏｔａｂｌａｔｏｒ（登録商標）、の使用の場合、若しくは、伝導妨害を伴う梗塞の管理において、又は、末梢動脈、例えば該頸動脈（頸動脈小体の周囲における受容体刺激による心臓減速のベクトル）、の処置に対して、該心拍数は有利には、５０〜１００拍／分である。
【００８３】
要約すると、本発明に従う組立体の利点は、国際公開第２０１６／１６２３１５（Ａ１）号パンフレットに従う組立体の利点を再現し、それは下記の通りに列記されることができる：
欠陥のある大動脈弁の置換の為の施術中における、又は、任意の大動脈若しくは動脈のインプラント（胸部大動脈内部人工装具、ステント）の配置の為の施術中における、より簡単で且つ迅速な電極、典型的には該心室刺激アノード、の配置；
該心臓刺激装置の為の電極、典型的にはアノード、の為の支持体としての追加的な皮下針を挿入することを必要としない；
欠陥のある心臓弁の置換の為の施術の、又は任意の大動脈若しくは動脈のインプラント（胸部大動脈内部人工装具、ステント）の配置の為の施術のより短い時間且つより低いコスト；
必然的により高いインピーダンスを有する患者の皮膚組織に接触する従来技術の該針とは対照的に、アクセサリ静脈カテーテルの周囲の該スリーブが上記系に直接接触している故に、電気刺激電流により直面される該脈管系のより低いインピーダンスを理由として、該所望の心臓停止を実施することを目的とした、一時的な刺激のより高い有効性；
該右心室に配置された従来技術に従う該電気収縮プローブの不安定さに代わる、該左心室における該硬質のガイド（１．４５５ｍｍ程度の直径）の安定性を理由とした、該所望の心臓停止を実施することを目的とした、一時的な刺激のより高い有効性；
該外部刺激装置の該２つの電極間において直面される該脈管系のより低いインピーダンスを理由として、より少ない電流を使用して該一時的な心臓刺激を実施する可能性；
該右心室に配置される従来技術に従う該一時的な刺激プローブに関連付けられた合併症の該リスクの除去；
複数の異なる種類のＴＡＶＩ介入、例えば大動脈弁、肺動脈弁、三尖弁又は僧帽弁の置換、に対する該イントロデューサーの又は該送達カテーテルのありうる使用。特に、該バルーンの、又は弁人工装具の拡張が、該刺激を妨害する、又は、該刺激プローブをくさび留めする内在するリスクを伴って、該プローブを圧縮するので、ガイドレールと電気収縮プローブとの両方とを配置することは考えられないので、変性した三尖弁の置換に対して、該ガイドレール（直径０．８９ｍｍ）により該右心室内に刺激プローブを導入する技術のみが考えられる；
より大きい頻拍を示し、成人集団における場合より動きやすい、該弁又は心臓において実施される工程中における小児集団におけるありうる使用。更に、これは該右心室における刺激プローブの該配置と同様に、大腿静脈穿刺が非常に困難でありうる集団である。最後に、幼児における該右心室の壁は薄く壊れやすく、それにより、重篤な合併症、例えば該タンポナーデ、のリスクを高める。これは、刊行物［２］において説明されている集団でもある；
全ての種類の末梢脈管介入に対するあり得る使用。
【００８４】
加えて、国際公開第２０１６／１６２３１５（Ａ１）号パンフレットに従う組立体と比べて、本発明に従う組立体は、下記の追加的な利点を有する。
本発明に従うアクセサリ（末梢静脈又は動脈）カテーテルの導入は、既存のアクセサリカテーテルに対する場合と同じままである故に、プロトコルの変更はない。この施術は、非常に単純であり且つ使いやすく、及びこのタスクを実施する為に任意の特定の訓練を受けることを一切必要としない補助者又は看護師によって容易に実施されうる。
（アクセサリ）末梢カテーテルが該工程中に最後に引き抜かれる故に、ＴＡＶＩ介入、又は任意の他の種類の心臓介入（僧帽弁、三尖弁）、又は任意の種類の該末梢脈管介入のより高い安全性。該アクセサリカテーテル、それ故に該心臓刺激装置への該接続体がまさに最後の時点において設置されるので、心臓刺激が、緊急事態であっても開始されることができる。
該ガイドワイヤに及び該動脈又は静脈カテーテルにそれぞれ接続された刺激電極が、該ＴＡＶＩにおいて使用される該送達カテーテル又はイントロデューサーの選択に決して影響を与えない故に、任意の種類のＴＡＶＩ送達カテーテル又はイントロデューサー、又は任意の他の種類の心臓弁、又は既存の末梢脈管介入の為であることを意図したものを使用する可能性。
【００８５】
本発明は更に、大動脈弁、肺動脈弁、三尖弁、若しくは僧帽弁の置換の為の、又は胸部大動脈内部人工装具若しくは頸動脈ステントの配置の為の、イントロデューサー又は送達カテーテルを含む及び前述の末梢静脈カテーテルを含む該組立体の使用に関する。
【００８６】
本発明の他の利点及び特徴は、非限定的な例により与えられる本発明の詳細な説明を読むことで及び添付図面を参照することによって、より明確になるであろう。
【図面の簡単な説明】
【００８７】
【図１】図１は、患者の鼠径部領域において大腿動脈内に導入されることを意図されている従来技術に従うイントロデューサーの斜視図である。
【図２Ａ】図２Ａは、欠陥のある天然の大動脈弁に対する置換物として適所に人工弁を適合させる為に、図１に従う該イントロデューサー内に弁カテーテルをスライドさせることに伴う様々な工程を、部分的な長手方向断面図において示す。
【図２Ｂ】図２Ｂは、欠陥のある天然の大動脈弁に対する置換物として適所に人工弁を適合させる為に、図１に従う該イントロデューサー内に弁カテーテルをスライドさせることに伴う様々な工程を、部分的な長手方向断面図において示す。
【図２Ｃ】図２Ｃは、欠陥のある天然の大動脈弁に対する置換物として適所に人工弁を適合させる為に、図１に従う該イントロデューサー内に弁カテーテルをスライドさせることに伴う様々な工程を、部分的な長手方向断面図において示す。
【図３】図３は、従来技術に従う弁カテーテルの及び心臓刺激電極の配置に伴う工程を、患者の外部からの概略斜視図において示す。
【図４】図４は、イントロデューサーを必要とせずに患者の該動脈内に直接導入されることを意図されている従来技術に従う送達カテーテルの概略斜視図である。
【図５】図５は、患者の動脈内に直接導入される、本発明に従う静脈カテーテルを含む及び人工装具弁送達カテーテルを含む本発明に従う組立体の使用を概略的に示す。
【発明を実施するための形態】
【００８８】
以下の説明において及び本出願の全体において、語「遠位」及び「近位」は、欠陥のある天然の大動脈弁が人工大動脈弁により置換される患者の人体に関連して使用される。従って、イントロデューサーの遠位端は、置換の為の施術中に患者の内部において最も遠くに位置する端部である。
【００８９】
内容を簡略化する為に、本発明に従う組立体において且つ従来技術に従う組立体において、同じ要素は同じ参照番号によって表される。
【００９０】
様々な要素が必ずしも一定の縮尺で示されるとは限らないことに留意されなければならない。
【００９１】
図１は、経大腿ルートにより心臓弁を置換する為のイントロデューサー１を示す。
【００９２】
イントロデューサー１の近位端１０とイントロデューサー１の遠位端１１との間において、一般的に管形のこのイントロデューサー１は、施術が実施される患者の大腿動脈内への導入に関連して考慮される近位から遠位に、すなわち、図１において上部から下向きに２つの管部１４、１５から形成された少なくとも１つの外側管状シース１３が後に続くノズル１２を備えている。
【００９３】
ノズル１２は一般的に、止血を提供する為の、すなわち、介入中に該患者の血管の内部に血液が維持されることを確実なものとする為の、漏れ止め弁のセットをノズル１２内に組み込んでいる。
【００９４】
管状シース１３は、以下で説明されるように、手術介入デバイス、例えば弁カテーテル、の通過を可能にする為に、拡張性であるか、又は非拡張性でありうる。シース１３が作られている材料は、生体適合材料、例えばシリコーン、である。シース１３は、Ｔｅｆｌｏｎ（登録商標）又はポリウレタンからまた作られうる。該シースは有利には、介入デバイスのスライドを容易にする為に、親水性層により外側をカバーされ且つ低い摩擦係数を有する層により内側をカバーされうる。
【００９５】
図１に示されるイントロデューサー１は、同様に、好適なすすぎ液（rinsing  liquid）によりイントロデューサー１の内部をすすぐ為の、フラッシュと一般的に呼ばれるコック（faucets）を含む統合されたすすぎデバイス１６を備えている。
【００９６】
近位又は外部のゾーンＺＥに存在するイントロデューサー１の全ての要素が、該患者の人体の外部に留まることを意図されており、一方、遠位ゾーンＺＩを画定するシース１３の遠位部１５の全体が、該患者の大腿動脈内に導入されることを意図されている。
【００９７】
示されるイントロデューサー１は例えば、Ｅｄｗａｒｄｓ  Ｌｉｆｅｓｃｉｅｎｃｅｓにより市販されている、「Ｅｄｗａｒｄｓ  ｅＳｈｅａｔｈ  ｉｎｔｒｏｄｕｃｅｒ  ｓｅｔ」という商標名のもとで市販されているものである。
【００９８】
図２Ａから図２Ｃは、大腿動脈Ａ内に既に導入されているイントロデューサー１の該管状シースの遠位部１４の内部における、ガイドワイヤ２０と、半径方向拡張ステントに固定された人工弁と該半径方向拡張ステントの拡張を達成する為の膨張可能バルーンとによって形成されている組立体２１とから構成された弁カテーテル２の進行を示す。
【００９９】
組立体２１の先端部は、欠陥のある天然の大動脈弁を容易に貫通することを可能にする。
【０１００】
弁カテーテル２が更にスライドするにつれて、該管状シースの部分１５が一時的に半径方向に変形してわずかな隆起１５０を形成することが、これらの図から理解される。該管状シースが拡張性できない場合、それは半径方向に変形しない。
【０１０１】
執刀医の手Ｍが、患者の該大腿動脈内に既に導入されているイントロデューサー１内に弁カテーテル２を導入すること、ここで、ノズル１２が体Ｃの外部に突出している、が図３から理解される。
【０１０２】
弁カテーテル２のこの導入は、置換される欠陥のある石灰化した大動脈弁のレベルまで組立体２１が運ばれることを可能にする。
【０１０３】
通常、図３に示されるのと同様に、ワニ口クリップとして知られているクリップ３が、弁カテーテル２のガイドワイヤ２０に留められることにより固定される。このクリップ３は、体Ｃの外部に位置する心臓刺激装置（図示されていない）の該カソードに接続されている。
【０１０４】
針（図示されていない）が同様に、工程が実施されるべきである患者の体Ｃの該皮下組織内に挿入される。金属ワイヤ４は、この針に固定される。
【０１０５】
ワニ口クリップ５は同様に、金属ワイヤ４に留められることによって固定される。
【０１０６】
このクリップ５は、該人体の外部における該心臓刺激装置のアノードに接続される。
【０１０７】
従って、該人工弁が置換される該天然の大動脈弁のレベルにある場合に、及び、該人工弁自体を適所に置く前に、すなわち、該バルーンを膨張させ、従って該弁が固定される該ステントを拡張する前に、該執刀医がまず第１に、該左心室の急速な該心室刺激を実現する。
【０１０８】
これを実現する為に、電気信号が、クリップ３及び５によりカソードとアノードとの間で伝達され、ここで、該バルーンがこれらの２つの電極間において電気絶縁体として機能する。
【０１０９】
図４は、イントロデューサーを必要とせずに患者の該動脈内に直接導入されうる送達カテーテル１’を示す。より正確には、カテーテル１’は、挿入シース１３が後に続くノズル１２を備えている。ノズル１２は、遠位端１１でバルーン７の膨張／収縮の為のポート１８を備えており、それは、人工装具弁（図示されていない）を拡張することを可能にする。
【０１１０】
簡単に説明した種類の大腿部ルートを介して大動脈弁を置換する為の多くの施術に直面し、特に、追加的な補助針の正確な且つ注意を要する配置と、更には、２つの離隔した支持体における該接続するワニ口クリップの配置及び保持とに直面することにより、本発明の本発明者は、金属ワイヤ４を直接、イントロデューサー１に又は送達カテーテル１’に統合することを考えた。この解決策は、国際公開第２０１６／１６２３１５（Ａ１）号パンフレットに記載されており且つ特許請求の範囲に記載されている。
【０１１１】
この解決策は従来技術に従う技術に比べて多くの利点を提供するけれども、それでも、この解決策は、重大な欠点、すなわち、特定のイントロデューサー又は送達カテーテルの製造を必要とするという欠点、を有する。
【０１１２】
従って、本発明者は、最初に、該金属ワイヤの機能を、特定のイントロデューサー又は送達カテーテルに統合するのではなく、代わりに、既存の末梢静脈カテーテル１’’に統合することを検討した。
【０１１３】
そのような静脈カテーテル１’’は、小さい直径、典型的には２ｍｍ以下の小さい直径、であり、且つ短い長さを有することができる。それは、末梢脈管内カテーテルに適用する規格を満たす。末梢静脈カテーテルの一次的な機能が、該患者の補水、薬物処置、又は輸血の為の液体を送達することであることが、本明細書において思い出されよう。
【０１１４】
より特には、ＴＡＶＩの文脈において、動脈カテーテル１’’は、一方では、人工大動脈弁の配置をチェックする為に、及び、他方では、合併症、特に、脈管合併症の不存在を確認する為に、コントロール脈管造影を実施すること、又は、更には、それらを管理することを可能にする（末梢静脈カテーテルの主機能は、該患者の補水、薬物処置、又は輸血の為の液体を送達することである）。
【０１１５】
本発明に従うと、末梢動脈カテーテル１’’の挿入シースは、非常に小さい厚さ、典型的には１ミリメートル以下程度の非常に小さい厚さ、のワイヤ又は電気伝導バンドを周縁部に組み込んでおり、それは、慣用的な静脈カテーテルシースにわずかの厚さしか追加せず、それ故に、動脈又は末梢静脈Ｖ内へのその導入中に後者の進行を妨げない。
【０１１６】
実際には、該人工装具弁の該配置と同時の心臓刺激を使用して心臓刺激弁の置換の為の施術を実施しようとする執刀医又は介入医（interventionalist）は、そのシースの該伝導要素が該患者の皮下ゾーン、又は、該患者の該末梢静脈若しくは動脈の該壁のいずれかに触れるようにして末梢静脈又は動脈カテーテル１’’を配置することから始める。
【０１１７】
この該配置が実行されると、イントロデューサー１又は送達カテーテル１’が、該執刀医により通常の手法で導入されることができる。
【０１１８】
大腿動脈Ａ内におけるイントロデューサー１の又はカテーテル１’の配置が完了すると、電気接続体６が、接続ワイヤ９０により外部心臓刺激装置９のアノードに直接接続されることができる。
【０１１９】
通常、続いて、クリップ、例えば図３に示されるワニ口クリップ３、が、該クリップをイントロデューサー１の又は弁カテーテル１’のガイドワイヤ２０に留めることによって固定されることができる。このクリップは、接続ワイヤ９１により該外部心臓刺激装置のカソードに接続される。
【０１２０】
従って、所望の心臓停止を実施する為の一時的な心臓刺激が、ガイドワイヤ２０に電気的に接続されたカソードと、末梢静脈カテーテル１’’の該電気伝導要素に電気的に接続されたアノードとの間に発生することができる。
【０１２１】
図５は、問題となる全ての要素、すなわち、患者の大動脈弓を通した人工装具弁１０の送達の為の送達カテーテル１’を含み且つ本発明に従う末梢静脈カテーテル１’’を含む組立体の使用の概略図を提供する。
【０１２２】
図５に見られることができるように、カテーテル１’が該大腿動脈から導入され、ガイドワイヤ２０が送達カテーテル１’内に直接導入される。ガイドワイヤ２０の遠位端２１は、該患者の該左心室の内皮に接触する場合に、遠位端２１それ自体に巻き付く。ガイドワイヤ２０のこの遠位端２１は、全ての時点で、電気的接触、そしてそれ故に電気接続ワイヤ９１を介した外部心臓刺激装置９の該カソードからの電流の通過を確実なものする。
【０１２３】
心臓刺激装置９の該アノードへの該電流の該通過は、その一部が末梢静脈カテーテル１’’の伝導シースにより確実なものとされ、それ故に、該患者の該皮下組織又は該末梢静脈に接触し、及び電気接続ワイヤ９０に更に接続される。
【０１２４】
本発明は、説明されている例そのものに限定されず、特に、示されていない変形例に示される例の特徴を組み合わせることが可能である。
【０１２５】
他の変形例及び改善例が、それにより本発明の範囲から逸脱することなく想定されうる。
【０１２６】
引用文献
2021519198.tif 000003
【図１】
2021519198.tif 000004
【図２Ａ】
2021519198.tif 000005
【図２Ｂ】
2021519198.tif 000006
【図２Ｃ】
2021519198.tif 000007
【図３】
2021519198.tif 000008
【図４】
2021519198.tif 000009
【図５】
2021519198.tif 000010
【手続補正書】
【提出日】令和3年1月28日(2021.1.28)
【手続補正１】
【補正対象書類名】特許請求の範囲
【補正対象項目名】全文
【補正方法】変更
【補正の内容】
【特許請求の範囲】
【請求項１】
心臓、大動脈、又は動脈のインプラントの配置の為の組立体であって、
人体（Ｃ）の動脈内に導入されること、及び任意的に手術介入デバイスの通過を可能にすることを意図されている、少なくとも１つの管状挿入シース（１３）を備えているイントロデューサー（１）又は弁送達カテーテル（１’）を形成するデバイス、
該人体の末梢静脈又は動脈内に導入されることを意図されているアクセサリカテーテル（１’’）、
該アクセサリカテーテルの周囲に係合されるように適合されているスリーブ（６）、ここで、該スリーブが該スリーブの外側周縁部の少なくとも一部にわたって電気伝導材料から作られていることにより、該アクセサリカテーテルが該人体の該末梢静脈又は動脈内に導入される場合に、該スリーブの該伝導性周縁部が該人体の皮下組織と、又は、該動脈の若しくは該静脈の壁と接触し、該スリーブが、該人体の外部における心臓刺激装置の電極への電気接続体（７、８）を更に備えている、及び、
該インプラントを進行させる為に該イントロデューサーの又は該送達カテーテルの管状シース（１３）内に導入されることを意図されているガイドワイヤ（２０）、ここで、該ガイドワイヤ（２０）が、該外部心臓刺激装置の他方の電極への接続体として更に機能する金属部を含む、
を備えている、前記組立体。
【請求項２】
該アクセサリカテーテルの挿入シース（１４’’）の周囲に係合された電気伝導性スリーブ（６）に接続された該心臓刺激装置の該電極がアノードであり、イントロデューサー（１）又は該送達カテーテル内に導入されるガイドワイヤ（２０）の該金属部に接続された該心臓刺激装置の該電極がカソードである、
請求項１に記載の組立体。
【請求項３】
該電気伝導性スリーブが、伝導材料、例えば炭素、から作られた一片として形成されている、
請求項１又は２に記載の組立体。
【請求項４】
該スリーブが、電気伝導コーティング（４）、例えば炭素のコーティング、を外側周縁部に備えているシースにより形成されている、
請求項３に記載の組立体。
【請求項５】
該スリーブが、異なる直径、典型的には０．２ｍｍ〜２．２ｍｍの外径の末梢静脈又は動脈カテーテルシースに係合することができるように弾性である、
請求項３又は４に記載の組立体。
【請求項６】
心臓、大動脈、又は動脈のインプラントの配置の為の組立体であって、
人体（Ｃ）の動脈内に導入されること、及び任意的に手術介入デバイスの通過を可能にすることを意図されている、少なくとも１つの管状挿入シース（１３）を備えているイントロデューサー（１）又は弁送達カテーテル（１’）を形成するデバイス、
該人体の末梢静脈又は動脈内に導入されることを意図されているアクセサリカテーテル（１’’）、ここで、該アクセサリカテーテルが、少なくとも１つの管状挿入シース（１３）と少なくとも１つの電気伝導要素とを備え、該電気伝導要素の遠位部が、該人体の皮下組織と、又は、該末梢静脈若しくは動脈とに接触するようにして、該シースの外側周縁部の少なくとも一部の上に露出され、該人体（Ｃ）の外部からアクセス可能な、その近位部が、該人体の外部における心臓刺激装置の電極への接続体として機能するように電気接続体を備えている、及び、
該インプラントを進行させる為に該イントロデューサーの又は該送達カテーテルの管状シース（１３）内に導入されることを意図されているガイドワイヤ（２０）、ここで、該ガイドワイヤ（２０）が、該外部心臓刺激装置の他方の電極への接続体として更に機能する金属部を含む、
を備えている、前記組立体。
【請求項７】
該アクセサリカテーテルに接続された該心臓刺激装置の該電極がアノードであり、イントロデューサー（１）又は該送達カテーテル内に挿入されたガイドワイヤ（２０）の該金属部に接続された該心臓刺激装置の該電極がカソードである、
請求項６に記載の組立体。
【請求項８】
該アクセサリカテーテルの該電気伝導要素が、該シースの厚さ内に少なくとも部分的に収容されたワイヤ又は金属バンド（４）であり、該電気伝導要素の該遠位部が、該シースの該外側周縁部において露出されている、
請求項６又は７に記載の組立体。
【請求項９】
該ワイヤの、又は該金属バンドの断面が０．２５ｍｍ２〜５ｍｍ２である、
請求項８に記載の組立体。
【請求項１０】
経皮的ルートによる心臓弁の置換の為の組立体を構成し、該ガイドワイヤが、該心臓弁を置換することを意図されている人工弁の進行に適合されている、
請求項１〜９のいずれか１項に記載の組立体。
【請求項１１】
大動脈内部人工装具又は頸動脈ステントの配置の為の組立体を構成し、該ガイドワイヤが、該内部人工装具若しくはステントの進行に適合されており、又は、該ガイドワイヤが、該人工装具若しくは該バルーンを送達するが患者の心臓に接触する別のガイドワイヤに結合されたガイドワイヤから独立している、
請求項１〜９のいずれか１項に記載の組立体。
【手続補正２】
【補正対象書類名】明細書
【補正対象項目名】００５５
【補正方法】変更
【補正の内容】
【００５５】
本発明は、第２の選択肢に従うと、心臓、大動脈、又は動脈のインプラントの配置の為の組立体であって、
人体の動脈内に導入されること、及び任意的に手術介入デバイスの通過を可能にすることを意図されている、少なくとも１つの管状挿入シースを備えているイントロデューサー又は弁送達カテーテルを形成するデバイス、
該人体の末梢静脈又は動脈内に導入されることを意図されているアクセサリカテーテル、ここで、該アクセサリカテーテルが、少なくとも１つの管状挿入シースと少なくとも１つの電気伝導要素とを備え、該電気伝導要素の遠位部が、該人体の皮下組織と、又は、該末梢静脈若しくは該動脈とに接触するようにして、該シースの該外側周縁部の少なくとも一部の上に露出され、該人体の外部からアクセス可能な、その近位部が、該人体の外部における心臓刺激装置の電極への接続体として機能するように電気接続体を備えている、及び、
該インプラントを進行させる為に該イントロデューサーの又は該送達カテーテルの該管状シース内に導入されることを意図されているガイドワイヤ、ここで、該ガイドワイヤが、該外部心臓刺激装置の他方の電極への接続体として更に機能する金属部を含む、
を備えている、上記組立体に関する。
【手続補正３】
【補正対象書類名】明細書
【補正対象項目名】００７６
【補正方法】変更
【補正の内容】
【００７６】
従って、本発明はまた、心臓、大動脈、又は動脈のインプラントの配置の為の方法であって、
ａ／経皮的ルートによる若しくは人体の末梢動脈内への、イントロデューサーの及び／又は送達カテーテルの導入、
ｂ／心臓、大動脈、又は動脈のインプラントを進行させる為の、該イントロデューサーの又は該送達カテーテルの、該管状シース内へのガイドワイヤの導入、
ｃ／該人体の末梢静脈又は動脈内へのアクセサリカテーテルの導入、ここで、該アクセサリカテーテルが、少なくとも１つの管状挿入シースと少なくとも１つの電気伝導要素とを備え、該電気伝導要素の遠位部が、該シースの該外側周縁部の少なくとも一部の上に露出され、又は、該アクセサリカテーテルが、スリーブの周縁部の少なくとも一部に電気伝導材料から作られた該スリーブを備えている、
ｄ／外部心臓刺激装置の２つの電極のうちの１つと、該アクセサリカテーテル、又は、該アクセサリカテーテルの周囲に係合された該スリーブとの間の接続、及び、該心臓刺激装置の該２つの電極のうちの他方と該ガイドワイヤとの間の接続、
ｅ／該インプラントの配置、
ｇ／該工程の前、該工程の間、又は該工程の後における該外部心臓刺激装置による心臓停止、
の工程を含む、上記方法に関する。
【国際調査報告】
2021519198.tif 000011
2021519198.tif 000012
2021519198.tif 000013
2021519198.tif 000014
2021519198.tif 000015